(57)【特許請求の範囲】
【請求項１】
作業者に背負われ当該作業者の背中に面する背負部材（１）と、前記背負部材（１）の下端部から後方に延びた架台（３）と、前記架台（３）の上に設置された送風機（６）と、前記背負部材（１）の前記作業者側に取り付けられ前記作業者の背中に当接する背当部材（４）と、を備えた背負式動力作業機（１００）であって、
前記送風機（６）は、前記背負部材（１）との隙間の空気を吸引する吸気口（９）を有し、
前記背負部材（１）は、前記作業者側から前記送風機（６）側に貫通した通気孔（１１）を有し、
前記背当部材（４）は、背負い時に前記作業者の背中と前記背負部材（１）とに挟まれて潰れる弾性部材（１２）と、前記弾性部材（１２）の前記作業者側を被覆する前側シート（１３）とを有し、内部の空気を前記背負部材（１）側に排出可能とされ、前記通気孔（１１）を覆うように前記背負部材（１）に取り付けられ、
前記弾性部材（１２）及び前記前側シート（１３）は通気性のある素材で構成されていることを特徴とする背負式動力作業機（１００）。
【請求項２】
前記弾性部材（１２）は、ウレタンフォームで構成され、前記前側シート（１３）は、メッシュシートで構成されていることを特徴とする請求項１記載の背負式動力作業機（１００）。
【請求項３】
前記背当部材（４）は、前記背負部材（１）の前記通気孔（１１）と対応する位置に、前記弾性部材（１２）が存在しない中空部（１７）を有することを特徴とする請求項１又は２記載の背負式動力作業機（１００）。
【請求項４】
前記背当部材（４）は、前記弾性部材（１２）の前記背負部材（１）側を被覆する後側シート（１５）を有し、
前記後側シート（１５）は、前記前側シート（１３）よりも曲げ剛性の高い素材で構成され、前記背負部材（１）の前記通気孔（１１）と対応する位置に通気孔（１６）を有することを特徴とする請求項１〜３のいずれか１項記載の背負式動力作業機（１００）。
【発明の詳細な説明】
【技術分野】
【０００１】
本発明は、作業者に背負われる背負部材と、背負部材から後方に延びた架台と、架台の上に搭載された送風機と、を備えた背負式動力作業機に関する。
【背景技術】
【０００２】
従来より、作業者に背負われ当該作業者の背中に面する背負部材と、背負部材の下端部から後方に延びた架台と、架台の上に搭載された送風機と、背負部材の作業者側に取り付けられた背当部材と、を備えた背負式動力作業機であって、送風機による空気の流れを利用して作業者の背中の蒸れを軽減させるものが知られている（例えば、特許文献１参照）。この背負式動力作業機では、送風機は、背負部材との隙間の空気を吸引する吸気口を有し、背負部材は、作業者側から送風機側に貫通した通気孔を有し、背当部材は、通気孔を覆うように背負部材に取り付けられている。そして、背当部材は、作業者側から凹状に形成された複数の溝部を有し、この複数の溝部には、作業者側から背負部材側に貫通した複数の孔が形成されている。
【先行技術文献】
【特許文献】
【０００３】
【特許文献１】実公平５−１７１６３号公報
【発明の概要】
【発明が解決しようとする課題】
【０００４】
上記構成では、作業者の背中に生じた湿気が、背当部材の溝部の空気と共に溝部の複数の孔を通って背負部材の通気孔に排出され、送風機に吸引される。このため、作業者の背中の蒸れが軽減される。しかしながら、背当部材の溝部以外の部分は作業者の背中に当接し、その部分に生じた湿気は排出されない。このため、上記構成では、作業者の背中の蒸れが十分に軽減されなかった。
【０００５】
本発明は、このような問題点を解決するためになされたものであり、作業者の背中の蒸れを十分に軽減することができる背負式動力作業機の提供を目的とする。
【課題を解決するための手段】
【０００６】
本発明による背負式動力作業機（１００）は、作業者に背負われ当該作業者の背中に面する背負部材（１）と、背負部材（１）の下端部から後方に延びた架台（３）と、架台（３）の上に搭載された送風機（６）と、背負部材（１）の作業者側に取り付けられ作業者の背中に当接する背当部材（４）と、を備えた背負式動力作業機（１００）であって、送風機（６）は、背負部材（１）との隙間の空気を吸引する吸気口（９）を有し、背負部材（１）は、作業者側から送風機（６）側に貫通した通気孔（１１）を有し、背当部材（４）は、背負い時に作業者の背中と背負部材（１）とに挟まれて潰れる弾性部材（１２）と、弾性部材（１２）の作業者側を被覆する前側シート（１３）とを有し、内部の空気を背負部材（１）側に排出可能とされ、通気孔（１１）を覆うように背負部材（１）に取り付けられ、弾性部材（１２）及び前側シート（１３）は通気性のある素材で構成されていることを特徴とする。
【０００７】
このような背負式動力作業機（１００）によれば、作業者の背中に生じた湿気は、送風機（６）の吸引力により、通気性のある素材で構成された表面を通って背当部材（４）の内部に進入し、背当部材（４）の内部の空気と共に背負部材（１）の通気孔（１１）に排出され、送風機（６）に吸引される。背当部材（４）の内部の空気が排出されると、通気性のある素材で構成された表面を通して新たな空気が吸入される。そして、背当部材（４）による空気の吸入及び排出が連続的に行われ、作業者の背中に生じた湿気の吸入及び排出も連続的に行われ、その結果作業者の背中の蒸れが十分に軽減される。
【０００８】
上記作用を効果的に奏するように、背当部材（４）は、背負い時に作業者の背中と背負部材（１）とに挟まれて潰れる弾性部材（１２）と、弾性部材（１２）の作業者側を被覆する前側シート（１３）とを有し、弾性部材（１２）及び前側シート（１３）は、通気性のある素材で構成されている。
【０００９】
また、弾性部材（１２）は、ウレタンフォームで構成され、前側シート（１３）は、メッシュシートで構成されていると、弾性部材（１２）及び前側シート（１３）の通気性が確保されると共に、背当部材（４）と作業者の背中との接触面積が小さくなり、作業者の背中の蒸れがより十分に軽減される。さらに、弾性部材（１２）のクッション性が確保される。
【００１０】
また、背当部材（４）は、背負部材（１）の通気孔（１１）と対応する位置に、弾性部材（１２）が存在しない中空部（１７）を有する構成であると、中空部（１７）の通気性が向上し、背当部材（４）の内部を空気が流れ易くなる。このため、背当部材（４）の内部に進入した湿気がより早く送り出され、作業者の背中の蒸れが一層十分に軽減される。
【００１１】
また、背当部材（４）は、弾性部材（１２）の背負部材（１）側を被覆する後側シート（１５）を有し、後側シート（１５）は、前側シート（１３）よりも曲げ剛性の高い素材で構成され、背負部材（１）の通気孔（１１）と対応する位置に通気孔（１６）を有する構成であると、背当部材（４）の通気性が確保されると共に、背当部材（４）の型崩れが抑制され、背当部材（４）の管理、組付に好都合である。
【発明の効果】
【００１２】
このように本発明の背負式動力作業機によれば、作業者の背中の蒸れを十分に軽減することができる。
【図面の簡単な説明】
【００１３】
【図１】本発明の一実施形態に係る背負式動力作業機の側面図である。
【図２】図１の背負式動力作業機の前面図である。
【図３】送風機、背負部材、及び背当部材の部分断面図である。
【図４】背当部材を外した背負式動力作業機の前面図である。
【図５】背当部材の背面図である。
【図６】背当部材の他の形態を示す背面図である。
【発明を実施するための形態】
【００１４】
以下、本発明に係る背負式動力作業機の好適な実施形態について添付図面を参照しながら説明する。なお、各図において、同一の要素には同一の符号を付し、重複する説明は省略する。また、以下の説明において、上下、前後、左右の語は、背負式動力作業機を背負った作業者を基準とした方向を表すものとする。
【００１５】
図１は、本発明の一実施形態に係る背負式動力作業機の側面図、図２は、図１の背負式動力作業機の前面図、図３は、送風機、背負部材、及び背当部材の部分断面図、図４は、背当部材を外した背負式動力作業機の前面図、図５は、背当部材の背面図、図６は、背当部材の他の形態を示す背面図であり、本実施形態では背負式動力作業機を背負式動力散布機として説明する。
【００１６】
図１及び図２に示すように、本実施形態に係る背負式動力散布機１００は、作業者に背負われ作業者の背中に面する背負部材１と、背負部材１を背負うための一対の背負バンド２，２と、背負部材１の下端部から後方に延びた架台３と、背負部材１の前側に取り付けられ作業者の背中に当接する背当部材４と、を備えている。架台３の上には、動力源（ここでは、内燃機５）により駆動される送風機６が搭載され、送風機６の上には、薬剤等を収容するタンク７が搭載されている。また、この背負式動力散布機１００は、送風機６により送り出された薬剤等を作業者が散布するための散布噴頭を備えている。なお、ここでは散布噴頭は取り外されている。
【００１７】
図３に示すように、送風機６は、前側（図示右側）に開口した吸気口９と、排気口１０と、を有し、タンク７内の薬剤を、吸気口９から吸引した空気と共に排気口１０に送り出す。吸気口９は、送風機６と背負部材１との間に形成された隙間８に向かっており、隙間８の空気が吸気口９内に吸引される（図４参照）。
【００１８】
背負部材１は、例えば樹脂材料からなり、前後方向に貫通した通気孔１１を有している。この通気孔１１は、隙間８に連通している（図４参照）。
【００１９】
背当部材４は、背負い時に作業者の背中と背負部材１とに挟まれて潰れる弾性部材１２と、弾性部材１２の前側を覆う前側シート１３と、弾性部材１２の後側を覆う第１後側シート１４と、第１後側シート１４のさらに後側を覆う第２後側シート１５と、を有している。
【００２０】
弾性部材１２は、例えばウレタンフォーム等の通気性のある素材で構成されている。前側シート１３及び第１後側シート１４は、例えば布製のメッシュシート等の通気性のある素材で構成されている。第２後側シート１５は、例えば樹脂の板材など、前側シート１３よりも曲げ剛性の高い素材で構成されている。前側シート１３及び第１後側シート１４に比べ、通気性に乏しい第２後側シート１５には、図３及び図５に示すように、前後方向に貫通する通気孔１６が形成され、背当部材４の内部の空気を後側に排出することが可能となっている。また、弾性部材１２のうち、通気孔１６に対応する位置には、前後に貫通する孔が形成され、前側シート１３と第１後側シート１４との間に弾性部材１２のない中空部１７が形成されている。
【００２１】
このように構成された背当部材４は、背負部材１の通気孔１１を覆うように背負部材１に取り付けられている。また、背当部材４を背負部材１に取り付けた状態において、第２後側シート１５の通気孔１６及び弾性部材１２の中空部１７の位置は、通気孔１１の位置と対応し、ここでは通気孔１１の上部と対応している。
【００２２】
以上の背負式動力散布機１００によれば、通気性のある素材で構成された弾性部材１２の前側が、通気性のある素材で構成された前側シート１３に覆われ、背当部材４の作業者側の表面が通気性のある素材で構成されているため、作業者の背中に生じた湿気は、送風機６の吸引力により、通気性のある素材で構成された表面を通って背当部材４の内部に進入し、背当部材４の内部の空気と共に背負部材１の通気孔１１に排出され、送風機６に吸引される。背当部材４の内部の空気が排出されると、通気性のある素材で構成された表面を通して新たな空気が吸入される。そして、背当部材４による空気の吸入及び排出が連続的に行われ、作業者の背中に生じた湿気の吸入及び排出も連続的に行われ、その結果作業者の背中の蒸れが十分に軽減される。
【００２３】
さらに、弾性部材１２は、ウレタンフォームで構成され、前側シート１３は、メッシュシートで構成されているため、弾性部材１２及び前側シート１３の通気性が確保されると共に、背当部材４と作業者の背中との接触面積が小さくなり、作業者の背中の蒸れがより十分に軽減される。さらに、弾性部材１２のクッション性が確保される。
【００２４】
また、背当部材４は、背負部材１の通気孔１１と対応する位置に、弾性部材１２が存在しない中空部１７を有するため、中空部１７の通気性が向上し、背当部材４の内部を空気が流れ易くなる。これにより、背当部材４の内部に進入した湿気がより早く送り出され、作業者の背中の蒸れが一層十分に軽減される。
【００２５】
また、背当部材４は、第１後側シート１４の後側、即ち弾性部材１２の後側を被覆する第２後側シート１５を有し、第２後側シート１５は、前側シート１３よりも曲げ剛性の高い素材で構成され、背負部材１の通気孔１１と対応する位置に通気孔１６を有するため、背当部材４の通気性が確保されると共に、背当部材４の型崩れが抑制され、背当部材４の管理、組付に好都合である。
【００２６】
以上、本発明の好適な実施形態について説明したが、本発明は必ずしも上述した実施形態に限定されるものではなく、その要旨を逸脱しない範囲で様々な変更が可能である。
【００２７】
背当部材４の構成は、上記構成に限られず、内部の空気を背負部材１側に排出可能であり、作業者側の表面が通気性のある素材で構成されたものであれば他の構成であってもよい。例えば、弾性部材１２は、前側シート１３及び第１後側シート１４，１５に覆われていなくてもよい。この場合、背当部材４の作業者側の表面は、通気性のある弾性部材１２により構成される。また、弾性部材１２は、第１後側シート１４に覆われず、前側シート１３及び第２後側シート１５のみによって覆われていてもよいし、第１後側シート１４，１５に覆われず、前側シート１３のみに覆われていてもよい。
【００２８】
また、背当部材４の中空部１７は、通気孔１６の位置に対応して弾性部材１２に形成された孔によって構成されているが、これに限られない。例えば、図６に示すように、中空部１７は、前後から見てＵ字形状をなすように弾性部材１２に形成された切欠部により構成されていてもよい。
【００２９】
また、弾性部材１２に通気性があるため、背当部材４は、中空部１７を有さないものであってもよい。
【００３０】
また、本実施形態では背負式動力作業機を背負式動力散布機として説明したが、これに限られない。本発明は、送風機を搭載した背負式動力作業機であればどのようなものにも適用でき、例えば、背負式のブロワにも適用することもできる。
【符号の説明】
【００３１】
１…背負部材、３…架台、４…背当部材、６…送風機、８…隙間、９…吸気口、１１…通気孔、１２…弾性部材、１３…前側シート、１５…第２後側シート、１６…通気孔、１７…中空部、１００…背負式動力散布機。
【図１】
0005560174.tif 000002
【図２】
0005560174.tif 000003
【図３】
0005560174.tif 000004
【図４】
0005560174.tif 000005
【図５】
0005560174.tif 000006
【図６】
0005560174.tif 000007